(57)【要約】【課題】配線器具を配線器具用プレートから取り外す作業が容易な配線装置を提供する。【解決手段】配線装置は、複数個の配線器具２２と、各配線器具２が前方よりそれぞれ取り付けられる取付孔１２が前後方向に形成された配線器具用プレート１とを備える。配線器具２は、配線器具用プレート１の後面に引っ掛かる引掛爪２７が先端部に形成された複数個の取付脚２６を備える。配線器具２は、各取付脚２６がそれぞれ嵌る複数個の取付溝１４を備える。配線器具用プレート１の短手方向に互いに対向する一対の取付溝１４の各底面１４ｃは、前方に向かうに従って互いに離れる向きに傾斜する傾斜面に形成され、取付脚２６と前記底面１４ｃとの間に配線器具用プレート１の前面に露出する隙間が形成されている。【選択図】図１
2010057227.tif 000002
【特許請求の範囲】
【請求項１】
施工面側を後面として施工面に固定され前面が矩形状に開口した取付孔を有する配線器具用プレートと、前面が矩形状である器体を有し取付孔に挿入された形で取り付けられた配線器具とを備える配線装置であって、配線器具は、器体の周面のうち互いに並行する一組の周面に沿って後方にそれぞれ突設され当該周面との距離を可変とする向きの弾性をそれぞれ有する取付脚を備え、各取付脚の先端部には、互いに離れる向きに引掛爪がそれぞれ突設され、配線器具用プレートは、取付孔の４面の内周面のうち互いに対向する一組の内周面において前後方向に沿って凹設され各取付脚とそれぞれ嵌合する取付溝と、各取付溝の後方にそれぞれ設けられて各引掛爪の前面をそれぞれ係止する爪受部と、取付溝が形成された取付孔の各内周面に設けられ配線器具を後方より支持する支持台とを備え、各取付溝の底面は、前方に向かうに従って互いに離れる向きに傾斜する傾斜面であり、取付脚と前記底面との間に配線器具用プレートの前面に露出する隙間が形成されていることを特徴とする配線装置。
【請求項２】
前記配線器具用プレートには、前記各爪受部にそれぞれ隣接する部位において前面に開口する差込孔が形成され、前記配線器具は、各差込孔にそれぞれ差し込まれる複数個の鉤片を備えることを特徴とする請求項１に記載の配線装置。
【請求項３】
前記取付孔は、前記取付溝が並ぶ内周面の延長方向において単位寸法の複数個の配線器具を取付可能な大きさに形成され、前記配線器具は、前記延長方向における寸法が前端部より小さい幅狭部を後端部に有し、取付孔の内周面のうち取付溝が形成された２つの内周面間は変形防止用桟により連結され、変形防止用桟は、変形防止用桟を挟んで隣接して隙間なく取り付けられる２つの配線器具の中間であって前記配線器具の幅狭部間に形成されることを特徴とする請求項１または請求項２に記載の配線装置。
【請求項４】
前記取付脚が沿う前記器体の一組の周面は、後方ほど互いに近づくように傾斜していることを特徴とする請求項１乃至請求項３の何れか１項に記載の配線装置。
【発明の詳細な説明】
【技術分野】
【０００１】
本発明は、配線器具用プレートを用いて配線器具を施工面に取り付ける配線装置に関するものである。
【背景技術】
【０００２】
従来より、壁などの施工面に取り付けらた配線器具用プレートにスイッチやコンセントなどの配線器具を取り付ける配線装置が提供されている。
【０００３】
この種の配線装置においては、配線器具用プレートは、施工面側を後面としてねじで施工面に取り付けられる。配線器具用プレートには配線器具を取り付けるための取付孔が前後方向に貫設されている。配線器具は、配線器具用プレートを施工面に取り付ける前に、取付孔に後方より挿通さてれ配線器具用プレートに取り付けられる。
【０００４】
この配線装置の取付方法では、配線器具を配線器具用プレートから取り外すためには、ねじを外して配線器具用プレートを施工面から取り外す必要があり、配線器具の取り外しに手間がかかる。
【０００５】
一方、図１４に示すように、配線器具２を車に設けた板状の取付部材５に前方より取り付ける構成が従来より提供されている（特許文献１参照）。取付部材５には、取付孔１２が前後方向に貫設され、配線器具２は前方より取付孔１２に挿通されて取り付けられる。
【０００６】
この配線器具２は、前面が矩形状に形成された器体２１と、器体２１の前部周面に突設されるフランジ２９とを備え、フランジ２９の後面には、器体２１の周面のうち互いに並行する一組の周面２５にそれぞれ沿う一対の取付脚２６（係止爪）が突設されている。各取付脚２６には弾性が付与され、また、先端部には、互いに離れる向きに引掛爪２７が突設され、各引掛爪２７が取付部材５の後面に引っ掛かることで配線器具２は取付部材５に固定される。
【０００７】
取付脚２６には、一端がフランジ２９の前面に達する切欠溝２６ａが前後方向に沿って凹設されている。切欠溝２２ａにマイナスドライバーなどの工具の先端を前方より差し込み、取付脚２６を撓ませることで引掛爪２７を取付部材５の後面から外すことができる。
【０００８】
取付部材５に代えて配線器具用プレートを用いると、配線器具を配線器具用プレートの前方より着脱可能にして取り外しの手間を低減した配線装置を提供できると考えられる。
【特許文献１】特開２００５−３４７０７４号公報
【発明の開示】
【発明が解決しようとする課題】
【０００９】
しかしながら、図１４の構成では、取付脚２６に弾性を付与する必要性から取付脚の厚み寸法には制限があり、また、切欠溝２６ａは取付脚２６に設けられるから、工具の先端を差し込む隙間の寸法（切欠溝２６ａの深さ寸法）は小さくなる。したがって、前記工具の先端を差し込む作業がし難く、配線器具２の取り外し作業が容易でないという問題がある。
【００１０】
本発明は上記事由に鑑みて為されたものであり、その目的は、配線器具を配線器具用プレートの前方より着脱する配線装置において、配線器具を配線器具用プレートから取り外すための工具を差し込む隙間の寸法を大きくして配線器具の取り外し作業を容易にすることができる配線装置を提供することにある。
【課題を解決するための手段】
【００１１】
請求項１の発明は、施工面側を後面として施工面に固定され前面が矩形状に開口した取付孔を有する配線器具用プレートと、前面が矩形状である器体を有し取付孔に挿入された形で取り付けられた配線器具とを備える配線装置であって、配線器具は、器体の周面のうち互いに並行する一組の周面に沿って後方にそれぞれ突設され当該周面との距離を可変とする向きの弾性をそれぞれ有する取付脚を備え、各取付脚の先端部には、互いに離れる向きに引掛爪がそれぞれ突設され、配線器具用プレートは、取付孔の４面の内周面のうち互いに対向する一組の内周面において前後方向に沿って凹設され各取付脚とそれぞれ嵌合する取付溝と、各取付溝の後方にそれぞれ設けられて各引掛爪の前面をそれぞれ係止する爪受部と、取付溝が形成された取付孔の各内周面に設けられ配線器具を後方より支持する支持台とを備え、各取付溝の底面は、前方に向かうに従って互いに離れる向きに傾斜する傾斜面であり、取付脚と前記底面との間に配線器具用プレートの前面に露出する隙間が形成されていることを特徴とする。
【００１２】
請求項２の発明は、請求項１に記載の発明において、配線器具用プレートには、各爪受部にそれぞれ隣接する部位において前面に開口する差込孔が形成され、前記配線器具は、各差込孔にそれぞれ差し込まれる複数個の鉤片を備えることを特徴とする。
【００１３】
請求項３の発明は、請求項１または請求項２に記載の発明において、前記取付孔は、前記取付溝が並ぶ内周面の延長方向において複数個の配線器具を取付可能な大きさに形成され、前記配線器具は、前記延長方向における寸法が前端部より小さい幅狭部を後端部に有し、取付孔の内周面のうち取付溝が形成された２つの内周面間は変形防止用桟により連結され、変形防止用桟は、変形防止用桟を挟んで隣接して隙間なく取り付けられる２つの配線器具の中間であって前記配線器具の幅狭部間に形成されることを特徴とする。
【００１４】
請求項４の発明は、請求項１乃至請求項３の何れか１項に記載の発明において、前記取付脚が沿う前記器体の一組の周面は、後方ほど互いに近づくように傾斜していることを特徴とする。
【発明の効果】
【００１５】
請求項１に記載の構成によれば、取付溝の底面と取付脚との間に配線器具用プレートの前面に露出する隙間を形成しているから、当該隙間にマイナスドライバーなどの工具の先端を前方より差し込んで取付脚を撓ませることで引掛爪を爪受部から外し、配線器具を配線器具用プレートから取り外すことができる。また、取付溝の底面が傾斜していることにより前記工具の先端を挿入する開口部位を取付脚に押力を作用させる部位より広くして前記工具を案内するから、工具の先端を差し込む作業を容易にすることができるという利点がある。
【００１６】
請求項２に記載の構成によれば、配線器具用プレートにおいて、爪受部に隣接して設けた差込孔に配線器具に設けた鉤片を差し込むから、配線器具によって取付孔の周部間が拘束されて配線器具用プレートの変形が防止され、その結果、引掛爪の爪受部への係止状態が維持され引掛爪が爪受部から外れて配線器具が配線器具用プレートから脱落することがないという利点がある。
【００１７】
請求項３に記載の構成によれば、変形防止用桟は、取付溝が形成された取付孔の２つの内周面間を連結するから、変形防止用桟によって取付孔の周部間が拘束されて配線器具用プレートの変形が防止され、その結果、引掛爪の爪受部への係止状態が維持され引掛爪が爪受部から外れて配線器具が配線器具用プレートから脱落することがないという利点がある。
【００１８】
また、変形防止用桟は、前記配線器具の幅狭部間に形成されるから、配線器具により変形防止用桟が隠され、変形防止用桟により美観が損なわれることがないという利点がある。
【００１９】
請求項４に記載の構成によれば、配線器具の後端部を取付孔に容易に挿入することができ、かつ、器体を取付孔に挿入するに従って器体が定位置に案内されることになり、配線器具を取付孔に取り付ける作業が容易になるという利点がある。
【発明を実施するための最良の形態】
【００２０】
以下では、図１および図２のように、壁などの施工面（図示せず）側を後面として施工面に取り付けられる配線器具用プレート１に、配線器具２を取り付けた配線装置を示す。
【００２１】
本実施形態で例示する配線器具用プレート１は、前面が矩形状に形成され、配線器具２が前方より挿入されて取り付けられる取付孔１２が前後方向（厚み方向）に貫設される。
【００２２】
配線器具用プレート１の後面には、取付孔１２を囲む形で挿入リブ１８が突設され、取付孔１２の周部には、施工面への固定用の取付ねじが挿通されるねじ用挿通孔１１が複数個、前後方向に貫設される。施工面に設けられた施工孔（図示せず）に挿入リブ１８を挿入した後、取付ねじで配線器具用プレート１は施工面に固定される。
【００２３】
すなわち、取付孔１２は、施工孔の前方に位置し、配線器具２は、後部が施工面に埋め込まれる形で取付孔１２に取り付けられる。
【００２４】
配線器具２が取り付けられた配線器具用プレート１の前面には、配線器具用プレート１の前面の形状と略同形状の化粧プレートＰが取り付けられる。化粧プレートＰは、配線器具２を前面側に露出される窓４２を備える。化粧プレートＰの配線器具用プレート１への取り付けは、配線器具用プレート１の前面に形成した複数個の係合孔１７と、化粧プレートＰの後面に形成した複数個の係合爪４１とをそれぞれ係合させることにより行う。
【００２５】
配線器具用プレート１の長手方向に沿って複数個（図示例では、８個）の配線器具２を密に並べて取付孔１２に取り付けることができる配線器具２の大きさを、単位寸法として、配線器具２は、単位寸法を基にその形状が決められる。たとえば、配線器具２は単位寸法や、単位寸法の２、３、１．５倍などの大きさで形成される。
【００２６】
配線器具２は、たとえば、スイッチやコンセントなどである。但し、電話線やテレビ用のアンテナ線などが接続される器具であってもよい。本実施形態では、配線器具２として、単位寸法で形成されるスイッチ２ａと、単位寸法の２倍の大きさで形成されるコンセント２ｂとを例示する。すなわち、スイッチ２ａは、取付孔１２に８個取り付けることができ、コンセント２ｂは、取付孔１２に４個取り付けることができる。
【００２７】
配線器具２は、前面が矩形状に形成され電源線（図示せず）が接続される端子部を内部に有する器体２１を備える。スイッチ２ａにおいては、器体２１の前面にはスイッチ操作部３０が設けられる。コンセント２ｂにおいては、プラグの栓刃（図示せず）が差し込まれるプラグ挿入孔３１が器体２１の前面に開設される。
【００２８】
器体２１の後面には、電源線が挿入される端子孔２２が開設される。また、器体２１の前端部の周面には、フランジ２３が突設される。以下では、配線器具用プレート１の長手方向を横方向、短手方向を縦方向として説明を行う。
【００２９】
図３に示すように、縦方向におけるフランジ２３の両端部の後面には、取付脚２６が形成される。スイッチ２ａにおいては、フランジ２３の各端部の中央に各１個（合計２個）形成され、コンセント２ｂにおいては、フランジ２３の各端部に各２個（合計４個）形成される。
【００３０】
単位寸法で形成されるスイッチ２ａを２個近接して縦方向に並べた場合の４つの取付脚２６の位置と同じ位置になるように、コンセント２ｂに形成される４つの取付脚２６の形成位置が決められる。
【００３１】
各取付脚２６は、器体２１の４つの周面のうち縦方向に互いに並行する一組の周面２５にそれぞれ沿うとともに、周面２５との間に隙間を有するようにそれぞれ形成される。さらに、取付脚２６は、周面２５との間の距離を可変とする弾性を有する。すなわち、取付脚２６は、周面２５に近づくように撓むことができる。
【００３２】
各取付脚２６の先端部には、縦方向において互いに離れる向きに引掛爪２７がそれぞれ突設される。
【００３３】
また、フランジ２３における縦方向に互いに対向する両端面には、鉤片２８がそれぞれ突設される。鉤片２８は、フランジ２３の端面から突出する鉤片基部２８ａと、鉤片基部２８ａの先端部から後方に突出する鉤片凸部２８ｂとを備える。鉤片２８は、各取付脚２６の両側に形成される。すなわち、スイッチ２ａにおいては、各端面に２個ずつ、計４個の鉤片２８が形成され、コンセント２ｂにおいては、各端面に４個ずつ、計８個の鉤片２８が形成される。
【００３４】
なお、図４（ａ）に示すように、スイッチ２ａ’において、取付脚２６を各側に２個ずつ形成し（すなわち、取付脚２６を４個形成）、横方向に並ぶ２つの取付脚２６の中間に鉤片２８を形成する構成とすることもできる。
【００３５】
また、図４（ｂ）に示すように、コンセント２ｂ’において、鉤片２８を取付脚２６の片側（図示例では、２個の取付脚２６間に位置することになる側）のみに形成する構成とすることもできる。
【００３６】
一方、配線器具用プレート１においては、図１および図２に示すように、取付孔１２の４つの内周面のうち、縦方向に互いに対向する一組の内周面１３には、前後方向に沿う取付溝１４が複数本づつ凹設される。
【００３７】
取付溝１４は、配線器具用プレート１の前面に開口を有し、取付溝１４は前面に露出する。取付溝１４の幅寸法（横方向の長さ寸法）は、取付溝１４が取付脚２６と嵌合可能なように、取付脚２６の幅寸法（横方向の長さ寸法）と略同一寸法で形成される。
【００３８】
取付溝１４の前面の開口の両側には、各鉤片２８がそれぞれ差し込まれる複数個の差込孔１５が開設される。配線器具用プレート１における差込孔１５と取付孔１２との間の部位の前面は、差込孔１５の開口より後方に位置し、支持台１９を形成する。
図５および図６に示すように、各取付脚２６が各取付溝１４内にそれぞれ進入するように、配線器具２を前方より取付孔１２内に挿入すると、引掛爪２７が取付溝１４の底面１４ｃに接触して撓み、また、各鉤片凸部２８ｂが各差込孔１５にそれぞれ差し込まれて、鉤片基部２８ａの後面が支持台１９の前面に当接する。ここに、取付脚２６と周面２５との間の距離は、引掛爪２７の突出寸法よりも大きく形成され、取付脚２６は、周面２５に当ることはない。
【００３９】
また、鉤片基部２８ａの後面が支持台１９の前面に当接したときに引掛爪２７が配線器具用プレート１の後面（取付孔１２に沿う部位の後面）に引っ掛かるような前後方向の長さ寸法で、取付孔１２は形成される。すなわち、鉤片基部２８ａの後面が支持台１９の前面に当接すると、引掛爪２７の前面は配線器具用プレート１の後面に係止される。本実施形態では、上述のように、配線器具用プレート１の後面（取付孔１２に沿う部位の後面）を、引掛爪２７を受ける爪受部としている。
【００４０】
上述より、配線器具２は、取付脚２６が取付溝１４に嵌まることで縦方向および横方向の移動が規制され、鉤片基部２８ａの後面が支持台１９の前面に当接し、かつ、引掛爪２７の前面が配線器具用プレート１の後面に係止されることで、前後方向の移動が規制される。すなわち、配線器具２は、配線器具用プレート１に固定される。
【００４１】
なお、図７に示すように、差込孔１５における横方向に互いに対向する一組の壁面に、前後方向に沿う一対のリブ１５ｃを形成することができる。リブ１５ｃは、その突出方向（横方向）に潰れることができる程度の厚み寸法（縦方向の幅寸法）で形成される。また、後方ほど突出寸法が大きくなるように、リブ１５は形成される。
【００４２】
一方、鉤片２８の幅寸法（横方向の長さ寸法）は、差込孔１５の幅寸法よりも小さく、かつ、一対のリブ１５ｃの後部における先端間の寸法よりも大きく形成され、鉤片凸部２８ｄは、差込孔１５内に進入する際にリブ１５ｃを押し潰す。したがって、鉤片２８と差込孔１５との間の横方向における隙間が、押し潰されたリブ１５ｃにより埋められ、配線器具２の横方向のがたつきが防止される。
【００４３】
次に、配線器具２の取り外しについて、図８を参照して説明する。上述したように、取付溝１４は前面側に開口を有し、前面側に露出している。マイナスドライバーなどの工具Ａの先端を取付溝１４に前方より差し込んで図中の矢印のように動かして取付脚２６を器体２１の周面２５側に撓ませると、引掛爪２７は配線器具用プレート１の後面から外れ、引掛爪２７の後面と配線器具用プレート１の後面との係止が解除される。すなわち、配線器具２は、配線器具用プレート１から取り外される。
【００４４】
ここに、図５に示すように、２つの内周面１３にそれぞれ形成されて縦方向に互いに向かい合う２つの取付溝１４の各底面１４ｃは、前方に向かうに従って互いに離れる向きに傾斜する傾斜面に形成される。したがって、底面１４ｃの傾斜角度に応じて、取付溝１４の開口における底面１４ｃと取付脚２６との間の隙間寸法ｄが決まる。
【００４５】
本実施形態では、隙間寸法ｄは、配線器具用プレート１の枠部の幅寸法（縦方向における取付孔１２の縁と配線器具用プレート１の外縁との間の長さ寸法）まで大きくできるから、当該枠部の幅寸法を大きくすることで取付脚２６に工具Ａを差し込むための切欠溝を形成した従来構成よりも隙間寸法ｄを大きくすることができ、結果、図８に示すように、工具Ａの先端を取付溝１４の開口に差し込み易くなっている。また、工具Ａの先端が底面１４ｃを摺動することにより取付脚２６側に案内されるから、取付溝１４の開口を大きくても、配線器具２を取り外す作業に支障を及ぼすことがなく、配線器具２の取り外し作業が容易である。
【００４６】
なお、前記従来構成では、切欠溝の深さ寸法を大きくするとその分取付脚の厚み寸法が小さくなり工具Ａによって取付脚が損壊する虞があるが、本実施形態では、取付溝１４は配線器具用プレート１に形成されるから、隙間寸法ｄを大きくしても取付脚２６の強度が低下することはない。また、取付溝１４の周囲における配線器具用プレート１の肉厚を大きくすることで取付溝１４の強度も十分に確保することができる。結果、前記従来構成よりも、工具Ａによる損壊の可能性を低下させることができる。
【００４７】
また、前記従来構成では、切欠溝を取付脚に形成するから、切欠溝の幅寸法は取付脚の幅寸法より小さくなるが、本実施形態では、取付溝１４の幅寸法（横方向の長さ寸法）は、取付脚２６の幅寸法と略同一寸法である。すなわち、取付溝１４の幅寸法は、前記従来構成よりも大きくなり、工具Ａの先端を取付溝１４に差し込み易くなる。
【００４８】
ところで、図９に示すように、取付孔１２の内周面１３において横方向に並んで形成される各取付溝１４は、スイッチ２ａの横方向の長さ寸法の寸法間隔で形成される取付溝１４ａと、隣接する２つの取付溝１４ａの中間に形成される取付溝１４ｂとで構成される。
【００４９】
また、隣接する２個の取付溝１４ａの中間には、２つの内周面１３間を連結する複数本（図示例では３本）の変形防止用桟１６が設けられる。各変形防止用桟１６は、スイッチ２ａの横方向の長さ寸法の２倍の寸法間隔で形成される。
【００５０】
なお、図における３本の変形防止用桟１６のうち、中央の変形防止用桟１６のように、隣接する２個の取付溝１４ａの間に形成された取付溝１４ｂに変形防止用桟１６を接続することもできるし、図における３本の変形防止用桟１６のうち、両端の変形防止用桟１６のように、隣接する２つの取付溝１４ａの間であって取付溝１４ｂを形成していない部位に、変形防止用桟１６を形成することもできる。
【００５１】
上述より、各内周面１３に設けられる各取付溝１４は、３個ごとに変形防止用桟１６により区切られた形になっている。変形防止用桟１６に区切られた取付孔１２の各部位において、３個の取付溝１４のうち端に位置する取付溝１４に取付脚２６が嵌るようにスイッチ２ａを取り付けると、前述したように、変形防止用桟１６は隣接する２個の取付溝１４ａの中間に形成され、隣接する２個の取付溝１４ａ間の距離はスイッチ２ａの横方向の長さ寸法と略同一寸法であり、取付脚２６は器体前端部２２の横方向における中央に形成されているから、スイッチ２ａ（図における左側のスイッチ２ａ）は、変形防止用桟１６に寄り添う。
【００５２】
また、変形防止用桟１６に区切られた取付孔１２の各部位において、３個の取付溝１４のうち真ん中に位置する取付溝１４に取付脚２６が嵌るようにスイッチ２ａを取り付けると、スイッチ２ａ（図における右側のスイッチ２ａ）は、２つの変形防止用桟１６の真ん中に位置する。
【００５３】
上述のように、変形防止用桟１６に区切られた取付孔１２の各部位において、横方向におけるスイッチ２ａの長さ寸法の半分の長さごとに横方向にずらしてスイッチ２ａを取付孔１２に取り付けることができる。
【００５４】
なお、図１１に示すように、変形防止用桟１６（図９参照）を設けない構成とすることもできる。その場合、取付溝１４は、横方向におけるスイッチ２ａの長さ寸法の半分の寸法間隔で形成される。すなわち、配線器具２は、図１２に示すように、横方向におけるスイッチ２ａの長さ寸法の半分の寸法間隔で横方向にずらして取付孔１２に取り付けることができる。
【００５５】
ところで、変形防止用桟１６は、取付孔１２の２つの内周面１３を連結するから、変形防止用桟１６により、２つの内周面１３間の距離が広がるように配線器具用プレート１が変形することが防止される。
【００５６】
したがって、配線器具用プレート１が変形して、引掛爪２７が爪受部である配線器具用プレート１の後面（取付孔１２に沿う端部における後面）から外れるということがない。
【００５７】
変形防止用桟１６は、図１３に示すように、器体２１の前端部であるフランジ２３の後方となる位置に、かつ、器体２１の後端部である幅狭部の側方に位置するように形成される。したがって、配線器具２を、変形防止用桟１６に寄り添うように、変形防止用桟１６の両側に取り付けると、２つの配線器具２のそれぞれのフランジ２３により変形防止用桟１６が隠される。結果、変形防止用桟１６により美観が損なわれることがない。
【００５８】
ところで、本実施形態では、器体２１の２つの周面２５は、図３に示すように、後方（図における下向き）ほど互いに近づくように傾斜させて形成される。したがって、縦方向における器体２１の後面の長さ寸法は、取付孔１２の縦方向の長さ寸法よりも小さくなり、配線器具２を取付孔１２に前方より挿入する際に、器体２１，２１ｂを取付孔１２に挿入し易く、また、周面２５と取付孔１２の内周面１３とが摺接することにより、配線器具２が定位置（取付位置）に案内されるから、配線器具２を取付孔１２に取り付ける作業が容易になる。
【００５９】
なお、配線器具用プレート１は、縦方向を上下方向として施工面に取り付けることもできるし、横方向を上下方向として施工面に取り付けることをできる。
【図面の簡単な説明】
【００６０】
【図１】実施形態の前面側から見た分解斜視図である。
【図２】実施形態の後面側から見た分解斜視図である。
【図３】実施形態の配線器具の平面図である。
【図４】実施形態の配線器具の別形態の斜視図である。
【図５】実施形態の取付脚部分における垂直断面図である。
【図６】実施形態の鉤片部分における垂直断面図である。
【図７】実施形態の配線器具用プレートにおける差込孔部分の拡大図である。
【図８】実施形態の配線器具を配線器具用プレートから取り外す状態の図である。
【図９】実施形態の配線器具用プレートの斜視図である。
【図１０】実施形態の配線器具用プレートに配線器具を取り付けた平面図である。
【図１１】実施形態の配線器具用プレートの別形態の斜視図である。
【図１２】実施形態の別形態の配線器具用プレートに配線器具を取り付けた平面図である。
【図１３】実施形態の取付孔の長手方向に沿う垂直断面図である。
【図１４】従来例を示す分解斜視図である。
【符号の説明】
【００６１】
１  配線器具用プレート
２  配線器具
２ａ  スイッチ
２ｂ  コンセント
１２  取付孔
１３  内周面
１４，１４ａ，１４ｂ  取付溝
１４ｃ  底面
１５  差込孔
１６  変形防止用桟
１９  支持台
２１  器体
２５  周面
２６  取付脚
２７  引掛爪
２８  鉤片
【図１】
2010057227.tif 000003
【図２】
2010057227.tif 000004
【図３】
2010057227.tif 000005
【図４】
2010057227.tif 000006
【図５】
2010057227.tif 000007
【図６】
2010057227.tif 000008
【図７】
2010057227.tif 000009
【図８】
2010057227.tif 000010
【図９】
2010057227.tif 000011
【図１０】
2010057227.tif 000012
【図１１】
2010057227.tif 000013
【図１２】
2010057227.tif 000014
【図１３】
2010057227.tif 000015
【図１４】
2010057227.tif 000016